(57)【要約】【課題】装飾体とリングを着脱可能にして、指輪とペンダントの両者を選択使用可能にした装身具において、低コストかつ簡易な構造でバラエティに富んだ使用方法を選択可能にするとともに、装飾体の向きを換えることで、装飾体に設けられた顔貌の表情を異ならせることが可能な装身具を提供する。【解決手段】装飾体２を椀状形状とするとともに、裏面中央部にリング３を嵌挿するための金具４を立設し、該装飾体の表面には顔貌を表すように眼２ａ、鼻２ｂ、口２ｃ及び２１ｃを設け、装飾体の向きを換えることで異なる表情を表すように口２ｃ及び２１ｃを異なる形状とした。また、金具の頂面４ａと装飾体の周縁部２ｄの面に高差ｈを設けたので、指輪として指に嵌めた際、皮膚の弾力によって金具４とリング３が圧接固定される作用が生じ、装飾体とリングがガタつくことがなくなるとともに、脱落の防止も可能になった。【選択図】  図１
2004358182.tif 000002
【特許請求の範囲】
【請求項１】
装飾体とリングを着脱可能にして、指輪とペンダントの両者を選択使用可能にした装身具において、装飾体は椀状形状からなるとともに、裏面中央部にはリングを嵌挿するための金具を立設し、該装飾体の表面には顔貌を表すように眼及び鼻、口を設け、装飾体の上下の向きを換えることで異なる表情を表すように前記眼及び鼻、口を配置したことを特徴とする装身具。
【請求項２】
前記金具の頂面は、椀状形状からなる装飾体の周縁部の面よりも突出しない高さで立設されていることを特徴とする請求項１に記載の装身具。
【発明の詳細な説明】
【０００１】
【発明の属する技術分野】
本発明は、指輪やペンダント等、多用途に使用することができるとともに、表情の変化を楽しむことのできる装身具に関する。
【０００２】
【従来の技術】
従来の装身具は、一般的に指輪、ペンダント等と、それぞれに用途が限定されていることが一般的である。また、指輪とペンダントを兼用できるようにした装身具の考案や発明が従来より多々提案されてきた。
【０００３】
このような指輪とペンダントを兼用できるようにした先行技術は、大きく分けて４つのタイプに分類される。
第１の分類では、装飾体とリングを着脱可能にし、装飾体にはネックレスのチェーンを通すための金具を設けたことで、指輪とペンダントを兼用させるようにしたものがある。
具体的な例としては、実公Ｓ５０−２４３８７号「指輪」（特許文献１）の第１図から第３図に示されるように、装飾体を取付けた台座と、この台座の背面に脱着される環体（指輪）とで構成して、台座に設けられた止杆にネックレスを通すことで指輪とペンダントの二様を使い分けることが可能になっている。
このように構成された先行技術は他に、実公Ｓ５３−４８１５８号（特許文献２）、実開Ｓ５６−３００１８号（特許文献３）、実開Ｓ６２−１２０８１１号（特許文献４）、実開Ｓ６３−３３８１０号（特許文献５）、実開Ｈ０６−３１５１０号（特許文献６）、特開２００２−１９１４１９号（特許文献７）等が存在する。
【０００４】
第２の分類では、装飾体自体に、指輪を通す穴と、ネックレスのチェーンを通す穴を設けたことで、指輪とペンダントを兼用できるようにしたものがある。
具体的な例としては、実用新案登録第３０３５５９０号「ペンダント・リング両用ヘッド」（特許文献８）の第１図に示されるように装飾体に指輪を通す穴と、ネックレスのチェーンを通す穴をそれぞれ設け、指輪として使用する場合は、装飾体の指輪を通す穴に指輪を通して指輪とし、ペンダントとして使用する場合は、装飾体のネックレスのチェーンを通す穴にチェーンを通してペンダントとして使用し、適宜両者を選択して使用することができるものである。
このように構成された先行技術は他に、実開Ｈ０５−２９４１３（特許文献９）が存在する。
【０００５】
第３の分類では、装飾体に指輪を取付けるための二つのＵ字金具とネックレスのチェーンを通すための金具を設け、二つのＵ字金具それぞれに対応した指輪を嵌挿して、指輪とペンダントを兼用させたものがある。
具体的な例としては、実開Ｈ０４−１３３７１８号「リング・ペンダント兼用ヘッド」（特許文献１０）の第１図から第４図に示されるように、前記したように、二つのＵ字金具のそれぞれに対応した指輪を二重に重ね合わせて、装飾体への固定を行うものである。同様なもので実開Ｈ０４−１３８３１２号（特許文献１１）等がある。
【０００６】
第４の分類では、装飾体に回動可能に指輪を設け、ペンダントとして使用する場合は、指輪を装飾体と同一平面上になるように指輪を回動させて折り畳む。そして装飾体にネックレスのチェーンを通すための金具、あるいは折り畳んだ指輪にネックレスのチェーンを通して、指輪とペンダントを兼用させたものがある。
具体的な例としては、実公Ｓ５４−２６２３６号「ペンダント兼用指輪」（特許文献１２）の第１図から第４図に示されるように、指輪台（装飾体）に、指輪台とほぼ同一面上に折り畳めるように回転自在に指嵌め部（リング）を設けて、前記指輪台にはネックレスの鎖を通すための鎖通し部を設けたことで、通常は指輪として使用することができ、ペンダントとして使用する場合は、指輪台に回転自在に設けられた指嵌め部を指輪台とほぼ同一面になるように折り畳んだ後に、鎖通し部にネックレスの鎖を通してペンダントと使用できるように構成したものである。
このように構成された先行技術は他に、実公Ｓ５５−１４４７号（特許文献１３）、実開Ｓ６２−１１９８２０号（特許文献１４）、特開Ｓ５４−１０６３７３号（特許文献１５）、実公Ｈ０８−１１０７４号（特許文献１６）、実用新案登録第３００１１１７号（特許文献１７）、実用新案登録第３０４２２０２号（特許文献１８）、特許第３１０３４９５号（特許文献１９）等が存在する。
【０００７】
前記した第１の分類から第４の分類の先行技術では、指輪とペンダントを兼用できるようにしたものを説明したが、これとは別に、装飾体に顔貌を示したものがある。
特開２０００−１０８号「身飾品」（特許文献２０）では、装飾部を有する指輪であって、装飾部に使用者本人特有の生物学的特長等の固体データを組み込んだことが示されており、前記固体データの一つとして顔が示されている。
実用新案登録第３０８０６９９号「指輪」（特許文献２１）では、指輪の表面に顔等の画像を形成したことが示されている。
更に、実用新案登録第３０５７９２１号「連結指輪」（特許文献２２）では、複数の指輪を連結して組み合わせる指輪で、様々な指輪を選択的に変えることで異なったデザインを楽しむことができるとされ、その一例として装飾体に顔を設けたことが示されている。
【０００８】
また、前記した装飾体に顔貌を示したもの以外に、実開平５−７６３１１号「指輪」（特許文献２３）では、指輪の装飾体を表裏反転させることで、常に同じデザインから脱却することが示されている。
【０００９】
【特許文献１】実公Ｓ５０−２４３８７号公報
【特許文献２】実公Ｓ５３−４８１５８号公報
【特許文献３】実開Ｓ５６−３００１８号公報
【特許文献４】実開Ｓ６２−１２０８１１号公報
【特許文献５】実開Ｓ６３−３３８１０号公報
【特許文献６】実開Ｈ０６−３１５１０号公報
【特許文献７】特開２００２−１９１４１９号公報
【特許文献８】実用新案登録第３０３５５９０号公報
【特許文献９】実開Ｈ０５−２９４１３公報
【特許文献１０】実開Ｈ０４−１３３７１８号
【特許文献１１】実開Ｈ０４−１３８３１２号
【特許文献１２】実公Ｓ５４−２６２３６号公報
【特許文献１３】実公Ｓ５５−１４４７号公報
【特許文献１４】実開Ｓ６２−１１９８２０号公報
【特許文献１５】特開Ｓ５４−１０６３７３号公報
【特許文献１６】実公Ｈ０８−１１０７４号公報
【特許文献１７】実用新案登録第３００１１１７号公報
【特許文献１８】実用新案登録第３０４２２０２号公報
【特許文献１９】特許第３１０３４９５号公報
【特許文献２０】特開２０００−１０８号公報
【特許文献２１】実用新案登録第３０８０６９９号公報
【特許文献２２】実用新案登録第３０５７９２１号公報
【特許文献２３】実開平５−７６３１１号公報
【００１０】
【発明が解決しようとする課題】
しかしながら、前記第１の分類の、装飾体（ヘッド）と指輪（リング）を着脱可能にし、装飾体にはネックレスのチェーンを通すための金具を設け、指輪とペンダントを兼用させたものにあっては、装飾体にネックレスのチェーンを通す金具を使用して指輪を固定することと、ペンダント使用時は、金具を装飾部背面に収納する構造であるので、非常に繊細緻密な製作技術が必要なことと、構造が複雑になってしまうことから、日常の使用過程において、破損する率が高いことと、コスト面において高価になることを否めない。
次に、第２の分類では、装飾体に指輪を通す穴と、ネックレスのチェーンを通す穴を設けて、指輪とペンダントを兼用させたものにあっては、装飾体の側面に指輪を嵌挿させる穴と、ネックレスのチェーンを通す穴をそれぞれ別個に設けられるとともに、穴も限定された位置であるので、バラエティに富んだ使い方ができない。
第３の分類では、装飾体に指輪を取付けるために、二つの指輪を二重に重ね合わせることで装飾体を固定するため、指輪が複数となることから、コストが高くなることを否めない。
第４の分類では、装飾体に回動可能に指輪を設けられており、常に装飾体にリング部が存在するので、指輪とペンダントをそれぞれ単体で使用することが不可能であり、尚かつ、ペンダントとして使用した場合に、それがデザインの一部として認識されるようなものであればよいが、外観からは、あたかも指輪とペンダントを共用していることが第三者にも明白であることを免れられない。
また、以上説明した第１から第４の分類の従来例においては、指輪とペンダントの二つの用途を兼用できるとはいえ、それぞれを同時に単体で使用することが考慮されておらず、両者を分離したとき、指輪には装飾体に着脱するための構造が一体として形成されているので、指輪単体としての使用は困難であり、ペンダントとして使用する際は、装飾体から取り外した指輪を紛失することが危惧される。尚かつ、指輪は閉鎖された環状体であったり、指輪自体に装飾体に着脱するための金具類が設けられていたり、指輪と装飾体が着脱不可能であったりしているので、個人の指の太さに合わせた指輪サイズのバリエーションが必要であることも課題の一つである。
【００１１】
また、指輪の装飾部や指輪の表面に顔を表したという点では、特許文献２０や、特許文献２１があるが、個人の識別のためや、単に指輪の一部に顔を示したに過ぎず、表情の変化を楽しむことを目的としたものではない。
更に、特許文献２２と特許文献２３では、複数の指輪を連結して組み合わせることでバリエーションを楽しむことが可能になったり、装飾体の裏表を変えることで違うデザイン楽しむことができることが示されているが、これらは何れも顔貌の表情の変化をもってバラエティに富んだ用途を提供するものではない
【００１２】
以上説明したように本発明は、このような問題を解消し、低コスト、且つ簡易な構造でバラエティに富んだ使用方法を使用者自身が適宜選択可能であり、特に表情の変化を表し易い顔貌をモチーフにしたことで、より表情の変化を楽しむことのできる装身具を提供することを目的としている。
【００１３】
【課題を解決するための手段】
上記の課題は本発明によれば、装飾体とリングを着脱可能にして、指輪とペンダントの両者を選択使用可能にした装身具において、装飾体は椀状形状からなるとともに、裏面中央部にはリングを嵌挿するための金具を立設し、該装飾体の表面には顔貌を表すように眼及び鼻、口を設け、装飾体の上下の向きを換えることで異なる表情を表すように前記眼及び鼻、口を配置したことで解決される。
また、前記金具の頂面は椀状形状からなる装飾体の周縁部の面よりも突出しない高さで立設することで解決される。
【００１４】
【発明の実施の形態】
次に本発明の実施例を、第１図から第８図に示す実施の形態に基づいて詳細に説明する。
図中１は、本発明の装身具であり、装飾体２とリング３とからなり、装飾体２の裏面側中央からリング３を嵌挿するための金具４を立設してなる。装飾体２には、顔貌を表すように眼２ａ、鼻２ｂ、口２ｃ及び２１ｃを設け、装飾体の上下の向きを換えることで異なる表情を表すように眼２ａ、鼻２ｂ、口２ｃ及び２１ｃを配置している。
眼２ａには顔貌の表情をより強く表現することが可能なように、本実施例では宝石を嵌入してあり、口２ｃ及び２１ｃは眼２ａ同様に顔貌の表情をより強く表現すること及び、ネックレスのチェーンを挿通することが可能なように、装飾体２の裏面側に貫通するように開口して設けられている。
【００１５】
通常、人間の視覚上の認知能力として、適度な面積の中に水平方向に離間して設けられた二つの点と、前記二つの点の概中央から適度に下方向にもう一つの別の点を逆三角形状に配置したとき、水平方向の２点を眼、そこから下方向の１点を口として人間や動物の顔として認識をする。図１の状態で装飾体２を見たとき、２ａを眼、２ｃを口として人間あるいは動物の顔貌として認識をする。一度このような認識をした状態においては、二つの眼２ａの中間から上方に設けられたもう一方の口２１ｃの存在については認識されづらく、単なる模様としての認識しかもち得ない。
本発明は、このような人間の持つ視覚上の認知能力を利用したものであり、口２ｃと２１ｃの形状を変えることにより、装飾体２の向きを上下逆にすることで、全く違う表情の顔貌を認識し得るようになる。尚、本実施例では、装飾体２に設けられた口２ｃの形状を笑った表情を表すように、開口した口２ｃの両端を上方向に吊り上げた。また、口２１ｃの形状は２ｃとは逆に怒った表情を表すように、開口部分の上下中央部を近接させた。このようにすることで、装飾体２に設けれられた口２ｃを下にした状態（図１の状態）にした場合は笑った表情として認識し、逆に口２１ｃを下にした状態（図４の状態）では怒った表情として認識し得るものであり、指輪として使用する場合は、リング３に指を挿入する方向を換えることで、異なった表情を楽しむことが可能になる。
また、ペンダントとして使用する場合は、図５及び図６に示されるように、リング３を外して装飾体２の金具４にネックレスのチェーンを通した後、装飾体２に開口された口２１ｃの装飾体２の背面側から表面側に向かってチェーン５を通すことでペンダントとして使用することが可能になる。このとき金具４に通したネックレスのチェーンを口２１ｃと２ｃの何れか一方を選択して挿通して首から吊り下げることで、装飾体２の上下方向が変わるので前記の指輪同様、笑った表情と怒った表情の何れかを適宜選択して楽しむことが可能になる。尚、鼻２ｂには横方向に小孔２ｅを貫通開孔して設けてあるが、第８図に示すように小孔２ｅにイヤリング７等を吊り下げれば、あたかも鼻輪を着けたかの如く見え、更にバラエティに富んだ表情を醸し出すことが可能である。
【００１６】
また、本発明においては、椀状形状をした装飾体２の裏面中央部から立設した金具４の頂面４ａを、装飾体２の周縁部２ｄの面よりも突出しない高さとした。このように構成したことにより、金具４にリング３を嵌挿して指輪として指に嵌めた際、金具４の頂面４ａが指６の表側（手の甲側）皮膚に当接するとともに、更に強く装飾体２の周縁部２ｄが指６の表側皮膚に当接し、皮膚の弾力によって金具４とリング３が圧接固定される作用が生じ、装飾体２とリング３がガタつくことなく指に嵌めることが可能になるとともに、リング３が回転して切欠部３ａが金具４から外れて脱落することを防止する効果を得ることが可能になった。
第７図は装飾体２の部分だけ断面にして指に嵌めた状態を解りやすいように示したものであるが、装飾体２の周縁部２ｄよりも金具４の頂面４ａが突出しないように、即ち高差ｈを設けたことで指６の皮膚の弾力によって前記効果を得ることが可能になったものである。
尚、装飾体２の周縁部２ｄと金具４の頂面４ａの高差ｈの寸法は、ゼロでは皮膚の弾力を利用することができないので全く意味をなさず、周縁部２ｄと頂面４ａの高差ｈが少しでも設けられた段階から皮膚の弾力による効果を発生するものであり、特段具体的な高差ｈ寸法を限定するものではない。
【００１７】
以上説明した本実施例では、口の形状を口２ｃを笑った表情、口２１ｃを怒った表情としたが、これに限定されるものではなく、両者が異なった表情を示すものであればよく、例えば口２ｃを正円として茫洋、口２１ｃを縦長楕円として驚愕の表情を表すものとしてもよい。
更に、リング３は切欠部３ａを有したシンプルな形状としたので、金具４への着脱が容易に短時間で可能になったとともに、切欠部３ａの隙間を広げたり狭めたりすることで、指のサイズの違いに対応できるフリーサイズの指輪とすることが可能になった。また、シンプルな形状であることから、装飾体２を外してリング３単体でも通常に極めて自然に使用することが可能である。このときリング３から外された装飾体２はペンダントととして同時に使用すれば紛失の恐れもなく、ペンダントから指輪に用途を変更した際には、チェーン５は、シンプルなネックレスとしてそのまま使用することが可能であるので紛失の恐れもなくなる。
【００１８】
【発明の効果】
以上説明した本発明により、装飾体とリングを着脱可能にして、指輪とペンダントの両者を選択使用可能にした装身具において、装飾体２は椀状形状からなるとともに、裏面中央部にはリングを嵌挿するための金具４を立設し、該装飾体の表面には顔貌を表すように眼２ａ、鼻２ｂ、口２ｃ及び２１ｃを設け、装飾体の上下の向きを換えることで異なる表情を表すように眼２ａ、鼻２ｂ、口２ｃ及び２１ｃを配置したので、装飾体２に設けられた口２ｃを下にした状態（図１の状態）では笑った表情、逆に口２１ｃを下にした状態（図４の状態）では怒った表情を表すことが可能になり、異なった表情を楽しむことが可能になった。
また、ペンダントとして使用する場合は、図５及び図６に示されるように、リング３を外して装飾体２の金具４にネックレスのチェーンを通した後、装飾体２に開口された口２１ｃの装飾体２の背面側から表面側に向かってチェーン５を通すことでペンダントとして使用することが可能になり、金具４に通したネックレスのチェーンを口２１ｃと口２ｃの何れか一方を選択して挿通して首から吊り下げることで、前記の指輪同様、異なった表情を適宜選択して楽しむことが可能になる。
更に、前記金具４は、椀状形状からなる装飾体２の周縁部２ｄと頂面４ａとの間に高差ｈが生じるように設けたことで、装飾体２に設けられた金具４にリング３を嵌挿して指輪として指に嵌めた際、金具４の頂面４ａが指６の表側（手の甲側）皮膚に当接するとともに、皮膚の弾力により、更に強く装飾体２の周縁部２ｄが指６の表側皮膚に当接することになるので、装飾体２とリング３のガタつきがなくなるとともに、リング３が回転して金具４から外れて脱落することを防止することが可能になる等、低コスト、且つ簡易な構造でバラエティに富んだ使用方法を使用者自身が適宜選択可能であり、装飾体２に設けられた顔貌の表情の変化を楽しむことのできる装身具を提供することが可能になった。
【図面の簡単な説明】
【図１】本発明の実施例の正面図である。
【図２】本発明の実施例の底面図である。
【図３】本発明の実施例の右側面図である。
【図４】図１の上下を逆転した図である。
【図５】チェーンを挿通した状態を示す装飾体の背面説明図である。
【図６】チェーンを挿通した状態を示すＡ−Ａ線断面説明図である。
【図７】装飾体のみＡ−Ａ線で断面化して指に嵌めた状態を示す説明図である。
【図８】装飾体の小孔にイヤリングを付けた状態を示す正面説明図である。
【符号の説明】
１                                  装身具
２                                  装飾体
２ａ                                眼
２ｂ                                鼻
２ｃ、２１ｃ                        口
２ｄ                                周縁部
２ｅ                                小孔
３                                  リング
３ａ                                切欠部
４                                  金具
４ａ                                頂面
５                                  チェーン
６                                  指
７                                  イヤリング
【図１】
2004358182.tif 000003
【図２】
2004358182.tif 000004
【図３】
2004358182.tif 000005
【図４】
2004358182.tif 000006
【図５】
2004358182.tif 000007
【図６】
2004358182.tif 000008
【図７】
2004358182.tif 000009
【図８】
2004358182.tif 000010